(57)【要約】【課題】  場や時を選ばないで少なくとも情報の検索を可能にする複種類端末により実行可能なナビゲーション方法及び、そのシステムを提供する。【解決手段】  予め、インターネットを介して利用可能のされている情報にアクセス可能にメモリを備える中央センタを設置すると共に、携帯電話２等の複種類の端末を中央センタ１と相互に電気通信回線を介してアクセス可能に設置する工程と、中央センタ１は端末からの電気信号を、変換機を用いて電気信号を判別し分析及び認識可能な入力信号に変換する工程と、中央センタ１は、入力信号に対する出力信号を変換機で判別した入力信号に応じた電気信号に変換する工程と、を含んで構成されてなる。【選択図】  図３
2005242947.tif 000002
【特許請求の範囲】
【請求項１】
予め、インターネットを介して利用可能のされている情報にアクセス可能にメモリを備える中央センタを設置する（Ａ）工程と、
予め、携帯電話、ＦＡＸ、ＩＰ電話、ＰＤＡ、一般電話、ＰＣ、ＳＴＢ、ルータ等の複種類の少なくともいずれかの端末を、前記中央センタと相互に電気通信回線を介してアクセス可能に設置する（Ｂ）工程と、
前記中央センタは、前記端末からの電気信号を、変換機を用いて当該電気信号を判別し、分析及び認識可能な入力信号に変換する（Ｃ）工程と、
前記中央センタは、前記入力信号を分析して入力情報とし、前記入力情報中の単語を抽出する（Ｄ）工程と、
前記中央センタは、前記メモリに有する話題データベースの話題用語と、前記単語と、を照合して、少なくとも一の話題を特定する（Ｅ）工程と、
前記中央センタは、前記メモリに有する情報データベースにまとめられている情報源の一覧から、前記話題に対応する一の情報源を特定する（Ｆ）工程と、
前記中央センタは、前記一の情報源に含まれる情報を記録する前記メモリの収集情報データベースから、少なくとも一の情報を取り出す（Ｇ）工程と、
前記中央センタは、前記メモリに有する対話データベースから、前記入力情報に対する応答テンプレートを取り出し、前記応答テンプレートに取り出した前記一の情報を適合させて応答情報を作成した後に出力信号を作成する（Ｈ）工程と、
前記中央センタは、前記出力信号を前記変換機で判別した前記入力信号に応じた電気信号に変換する（Ｉ）工程と、
を含んで構成されてなる複種類端末により実行可能なナビゲーション方法。
【請求項２】
請求項１に記載の複種類端末により実行可能なナビゲーション方法において、
前記中央センタは、前記（Ｅ）工程から前記（Ｇ）工程において、少なくとも一の情報を取り出すことが出来ない場合に、前記中央センタの有しない情報をメモリに保有する対応センタに問い合わせる（Ｊ）工程と、
前記対応センタは、検索部を用いて、少なくとも問い合わせに答える一の情報を取り出す（Ｋ）工程と、
前記中央センタは、前記対応センタの取り出した前記一の情報を受け取り、前記（Ｈ）工程を作動させる（Ｌ）工程と、
を備えていることを特徴とする複種類端末により実行可能なナビゲーション方法。
【請求項３】
請求項２に記載の複種類端末により実行可能なナビゲーション方法において、
前記対応センタは、前記（Ｋ）工程において、少なくとも一の情報を取り出すことが出来ない場合に、前記対応センタの有しない情報をメモリに保有する登録センタに問い合わせる（Ｍ）工程と、
前記登録センタは、自動的に所定のサイトに電気通信回線を介してアクセスして情報を得て、更新しているメモリに保有する情報から、検索部を用いて、少なくとも問い合わせに答える一の情報を取り出す（Ｎ）工程と、
前記中央センタは、前記対応センタを介して前記登録センタの取り出した前記一の情報を受け取り、前記（Ｈ）工程を作動させる（Ｏ）工程と、
を備えていることを特徴とする複種類端末により実行可能なナビゲーション方法。
【請求項４】
携帯電話、ＦＡＸ、ＩＰ電話、ＰＤＡ等の複種類の少なくともいずれかの端末と、インターネットを介して利用可能のされている情報にアクセス可能であり、且つ前記端末と相互にアクセス可能である、メモリを備える中央センタと、を含んで構成されてなる複種類端末により実行可能なナビゲーションシステムであって、
前記中央コンピュータは、
前記端末からの電気信号を、当該電気信号を判別し、分析及び認識可能な入力信号に変換し、又は前記端末への出力信号を前記変換機で判別した前記入力信号に応じた電気信号に変換する変換機と、
前記入力信号を分析して入力情報とする手段と、
前記入力情報中の単語を抽出する手段と、
前記メモリに有する話題データベースの話題用語と、前記単語と、を照合して、少なくとも一の話題を特定する手段と、
前記メモリに有する情報データベースにまとめられている情報源の一覧から、前記話題に対応する一の情報源を特定する手段と、
前記一の情報源に含まれる情報を記録する前記メモリの収集情報データベースから、少なくとも一の情報を取り出す手段と、
前記メモリに有する対話データベースから、前記入力情報に対する応答テンプレートを取り出す手段と、
前記応答テンプレートに取り出した前記一の情報を適合させて応答情報を作成した後に前記出力信号を作成する手段と、
を含んで構成されてなる複種類端末により実行可能なナビゲーションシステム。
【請求項５】
請求項４に記載の複種類端末により実行可能なナビゲーションシステムにおいて、
前記中央センタは、少なくとも一の情報を取り出すことが出来ない場合に、前記中央センタの有しない情報をメモリに保有する対応センタに問い合わせる手段と、
前記対応センタは、検索部を用いて、少なくとも問い合わせに答える一の情報を取り出す手段と、
前記中央センタは、前記対応センタの取り出した前記一の情報を受け取る手段と、
を備えていることを特徴とする複種類端末により実行可能なナビゲーションシステム。
【請求項６】
請求項５に記載の複種類端末により実行可能なナビゲーションシステムにおいて、
前記対応センタは、
少なくとも一の情報を取り出すことが出来ない場合に、前記対応センタの有しない情報をメモリに保有する登録センタに問い合わせる手段と、
前記登録センタは、
自動的に所定のサイトに電気通信回線を介してアクセスして情報を得て、更新しているメモリに保有する情報から、検索部を用いて、少なくとも問い合わせに答える一の情報を取り出す手段と、
前記中央センタは、
前記対応センタを介して前記登録センタの取り出した前記一の情報を受け取る手段と、
を備えていることを特徴とする複種類端末により実行可能なナビゲーションシステム。
【発明の詳細な説明】
【技術分野】
【０００１】  本発明は、携帯電話、ＦＡＸ、ＩＰ電話、ＰＤＡ等の複種類の少なくともいずれかの端末からインターネットを介してアクセス可能な情報を少なくとも検索可能にする複種類端末により実行可能なナビゲーション方法及び、そのシステムに関する。
【背景技術】
【０００２】  従来のホームページ検索システムは、サーチエンジンを搭載した多種多様な検索サイトがインターネット上に提供され、インターネットユーザはこれらの検索サイトを利用して所望のホームページを探すようになっていた。【０００３】  これらの検索サイトは、主として、様々なホームページのＵＲＬ等の所在情報をホームページ内のキーワードによって分類した検索ファイルを予め作成して検索サイトのデータベースに蓄積しておき、ユーザが検索サイトに接続し、閲覧したいホームページに関するキーワードと思われる単語を一つ又は複数入力し、検索サイトのサーチエンジンが検索ファイルのキーワードにその単語を照合することでホームページを絞り込み、絞り込んだホームページのＵＲＬ等の所在情報をユーザに回答している。【０００４】  そして、この回答されたホームページが単数であったときには、ユーザはそのホームページにアクセスして所望の情報を得ることを行っていた。あるいは、回答されたホームページが複数あったときには、それらのホームページはランダムに配列されていることが多く、回答されたホームページにユーザは無作為にアクセスし、それぞれのホームページにアクセスし、所望のホームページを探して、所望の情報を得ていた。
【発明の開示】
【発明が解決しようとする課題】
【０００５】  しかしながら、上記従来技術では、ユーザが一方的に検索して情報を得るのみであって、ユーザは一々、膨大なサイト一覧に目を通して選択しなければならず適切なサイトを探すことに煩わしさがあった。また、ユーザは、無機質なコンピュータに向かって情報の検索及び情報の提供を受けているのみであるので、孤独感に苛まれることさえあった。【０００６】  また、ユーザは、一のコンピュータから一のデータにアクセスするのみであり、その場、その時々に応じたコンピュータである携帯電話、ＦＡＸ、ＩＰ電話、ＰＤＡ等の複種類の端末から情報を少なくとも検索することは不可能であった。【０００７】  そこで、本発明は、ユーザが膨大なサイト一覧等から一々サイトを探さなくても、所望の情報を得ることが出来る複種類端末により実行可能なナビゲーション方法及び、そのシステムを提供することを課題とする。また、本発明は、コンピュータとユーザとの応答を無機質なものから脱却させる自動対話によるバーチャル会話方法、及びそのシステムを提供することを課題とする。さらに、本発明は、場や時を選ばないで少なくとも情報の検索を可能にする複種類端末により実行可能なナビゲーション方法及び、そのシステムを提供することを課題とする。
【課題を解決するための手段】
【０００８】  課題を解決するために、請求項１に記載の本願発明の第一の態様は、予め、インターネットを介して利用可能のされている情報にアクセス可能にメモリを備える中央センタを設置する（Ａ）工程と、予め、携帯電話、ＦＡＸ、ＩＰ電話、ＰＤＡ、一般電話、ＰＣ、ＳＴＢ、ルータ等の複種類の少なくともいずれかの端末を、中央センタと相互に電気通信回線を介してアクセス可能に設置する（Ｂ）工程と、中央センタは、端末からの電気信号を、変換機を用いて電気信号を判別し、分析及び認識可能な入力信号に変換する（Ｃ）工程と、中央センタは、入力信号を分析して入力情報とし、入力情報中の単語を抽出する（Ｄ）工程と、中央センタは、メモリに有する話題データベースの話題用語と、単語と、を照合して、少なくとも一の話題を特定する（Ｅ）工程と、中央センタは、メモリに有する情報データベースにまとめられている情報源の一覧から、話題に対応する一の情報源を特定する（Ｆ）工程と、中央センタは、一の情報源に含まれる情報を記録するメモリの収集情報データベースから、少なくとも一の情報を取り出す（Ｇ）工程と、中央センタは、メモリに有する対話データベースから、入力情報に対する応答テンプレートを取り出し、応答テンプレートに取り出した一の情報を適合させて応答情報を作成した後に出力信号を作成する（Ｈ）工程と、中央センタは、出力信号を変換機で判別した入力信号に応じた電気信号に変換する（Ｉ）工程と、を含んで構成されてなる複種類端末により実行可能なナビゲーション方法を提供する。【０００９】  請求項２に記載の発明は、請求項１に記載の複種類端末により実行可能なナビゲーション方法において、中央センタは、（Ｅ）工程から（Ｇ）工程において、少なくとも一の情報を取り出すことが出来ない場合に、中央センタの有しない情報をメモリに保有する対応センタに問い合わせる（Ｊ）工程と、対応センタは、検索部を用いて、少なくとも問い合わせに答える一の情報を取り出す（Ｋ）工程と、中央センタは、対応センタの取り出した一の情報を受け取り、（Ｈ）工程を作動させる（Ｌ）工程と、を備えていることを特徴とする。【００１０】  請求項３に記載の発明は、請求項２に記載の複種類端末により実行可能なナビゲーション方法において、対応センタは、（Ｋ）工程において、少なくとも一の情報を取り出すことが出来ない場合に、対応センタの有しない情報をメモリに保有する登録センタに問い合わせる（Ｍ）工程と、登録センタは、自動的に所定のサイトに電気通信回線を介してアクセスして情報を得て、更新しているメモリに保有する情報から、検索部を用いて、少なくとも問い合わせに答える一の情報を取り出す（Ｎ）工程と、中央センタは、対応センタを介して登録センタの取り出した一の情報を受け取り、（Ｈ）工程を作動させる（Ｏ）工程と、を備えていることを特徴とする。【００１１】  課題を解決するために、請求項４に記載の本願発明の第二の態様は、携帯電話、ＦＡＸ、ＩＰ電話、ＰＤＡ等の複種類の少なくともいずれかの端末と、インターネットを介して利用可能のされている情報にアクセス可能であり、且つ端末と相互にアクセス可能である、メモリを備える中央センタと、を含んで構成されてなる複種類端���により実行可能なナビゲーションシステムであって、中央コンピュータは、端末からの電気信号を、電気信号を判別し、分析及び認識可能な入力信号に変換し、又は端末への出力信号を変換機で判別した入力信号に応じた電気信号に変換する変換機と、入力信号を分析して入力情報とする手段と、入力情報中の単語を抽出する手段と、メモリに有する話題データベースの話題用語と、単語と、を照合して、少なくとも一の話題を特定する手段と、メモリに有する情報データベースにまとめられている情報源の一覧から、話題に対応する一の情報源を特定する手段と、一の情報源に含まれる情報を記録するメモリの収集情報データベースから、少なくとも一の情報を取り出す手段と、メモリに有する対話データベースから、入力情報に対する応答テンプレートを取り出す手段と、応答テンプレートに取り出した一の情報を適合させて応答情報を作成した後に出力信号を作成する手段と、を含んで構成されてなる複種類端末により実行可能なナビゲーションシステムを提供する。【００１２】  請求項５に記載の発明は、請求項４に記載の複種類端末により実行可能なナビゲーションシステムにおいて、中央センタは、少なくとも一の情報を取り出すことが出来ない場合に、中央センタの有しない情報をメモリに保有する対応センタに問い合わせる手段と、対応センタは、検索部を用いて、少なくとも問い合わせに答える一の情報を取り出す手段と、中央センタは、対応センタの取り出した前記一の情報を受け取る手段と、を備えていることを特徴とする。【００１３】  請求項６に記載の発明は、請求項５に記載の複種類端末により実行可能なナビゲーションシステムにおいて、対応センタは、少なくとも一の情報を取り出すことが出来ない場合に、対応センタの有しない情報をメモリに保有する登録センタに問い合わせる手段と、登録センタは、自動的に所定のサイトに電気通信回線を介してアクセスして情報を得て、更新しているメモリに保有する情報から、検索部を用いて、少なくとも問い合わせに答える一の情報を取り出す手段と、中央センタは、対応センタを介して登録センタの取り出した一の情報を受け取る手段と、を備えていることを特徴とする。
【発明の効果】
【００１４】  本発明によれば、ユーザが膨大なサイト一覧等から一々サイトを探さなくても、所望の情報を得ることが出来る効果を有する。また、本発明は、複種類端末を用いることを可能にすることで場や時を選ばないで少なくとも情報の検索を可能にする効果を有する。
【発明を実施するための最良の形態】
【００１５】  本発明に係る複種類端末により実行可能なナビゲーション方法及び、そのシステム関して、実施の形態に基づいて、更に詳しく説明する。【００１６】  初めに図１は、本発明に係る複種類端末により実行可能なナビゲーション方法を実現する複種類端末により実行可能なナビゲーションシステムの全体の構成例を示した模式図である。また、図２は、図１の全体の構成例のブロック図である。【００１７】  複種類端末により実行可能なナビゲーションシステムは、中央センタ１と、携帯電話２と、を備えて構成されている。
但し、本発明は、携帯電話２は複種類の端末（複種類端末）の一例であって、ＦＡＸ、ＩＰ電話、ＰＤＡ、一般電話、ＰＣ、ＳＴＢ、ルータ等の他の複種類端末であることを排除しない。【００１８】  中央センタ１は、キャッシュメモリや補助記憶装置等であるメモリを備え、当該メモリの中に種々の情報をデータベースにまとめて記録蓄積しているコンピュータである。そして、他のコンピュータと相互にアクセス可能であったり、インターネットを介して種々の情報を利用可能であったりするコンピュータである。それ故、本実施の形態では、モニタ、キーボード、マウスを備えるようにしているが、これらを備えないことを本発明は排除しない。または、これらの他の付属品を備えることを本発明は排除しない。【００１９】  携帯電話２は、ユーザＵの用いるユーザコンピュータの一つである。複種類端末である携帯電話２は、電気通信回線である回線Ｌ２を介して少なくとも中央センタ１にアクセス可能である。尚、他の複種類端末である場合にも、同様に、電気通信回線である回線Ｌ２を介して少なくとも中央センタ１にアクセス可能であることが必要である。【００２０】  中央センタ１は、インターネットを介して利用可能にされている情報にアクセス可能である。本実施の形態では、ネットワークＮ１を介して各サイト１００、２００、３００にアクセスして情報を取得することが可能とされている。より詳細には、回線Ｌ１ａを介して、ネットワークＮ１に接続して、回線Ｌ１ｂ、Ｌ１ｃ、Ｌ１ｄを更に介してサイト１００、２００、３００にアクセス可能になっている。但し、図２では、これらの回線Ｌ１ａ、Ｌ１ｂ、Ｌ１ｃ、Ｌ１ｄやネットワークＮ１をまとめて回線Ｌ１としている。尚、回線Ｌ１は、無線通信回線や有線通信回線のいずれかを問わない。【００２１】  一方、中央センタ１と携帯電話２とは、相互にアクセス可能である。本実施の形態では、ネットワークＮ２を介して携帯電話２と相互にアクセスすることが可能とされている。より詳細には、中央コンピュータ１は、回線Ｌ２ｂを介して、ネットワークＮ２に接続して、回線Ｌ２ａを更に介して携帯電話２にアクセス可能になっている。もちろん、逆も可能になっている。但し、図２では、これらの回線Ｌ２ａ、Ｌ２ｂやネットワークＮ２をまとめて回線Ｌ２としている。尚、回線Ｌ２は、無線通信回線や有線通信回線のいずれかを問わないが、本実施の形態のＬ２ａは無線通信回線である。【００２２】  次に、中央センタ１や携帯電話２の有する機能等について説明する。
まず、中央センタ１は、変換機１０と、ＣＰＵ１１と、ソフトウエアｓ１を格納したキャッシュメモリ１２と、通信装置１３と、補助記憶装置１４を少なくとも備えている。尚、本明細書において、キャッシュメモリ１２及び補助記憶装置１４を合わせてメモリとしている。ソフトウエアｓ１は、中央センタ１を構成する一要素である。このソフトウエアｓ１にＣＰＵ１１が直接アクセスして命令やデータを処理し、命令実行やデータ操作を行う。そして、ＣＰＵ１１とソフトウエアｓ１から、変換手段１０ａと、接続認識手段１０ｂと、話題用語抽出手段１０ｃと、話題用語適合送信手段１０ｄと、入力信号受信１０ｅと、分析単語抽出手段１０ｆと、単語照合手段１０ｇと、情報源特定手段１０ｈと、情報取出手段１０ｉと、テンプレート取出手段１０ｊと、応答情報作成手段１０ｋと、音声情報作成手段１０ｌと、出力信号作成手段１０ｍと、送信手段１０ｎと、が少なくとも生じる。【００２３】  次に、携帯電話２は、ＣＰＵ２１と、ソフトウエアｓ２を格納したキャッシュメモリ２２と、通信装置２３と、補助記憶装置２４を少なくとも備えている。尚、本明細書において、キャッシュメモリ２２及び補助記憶装置２４を合わせてメモリとしている。フトウエアｓ２は、携帯電話２を構成する一要素である。このソフトウエアｓ２にＣＰＵ２１が直接アクセスして命令やデータを処理し、命令実行やデータ操作を行う。そして、ＣＰＵ２１とソフトウエアｓ２から、アクセス手段２０ａと、受信手段２０ｂと、入力信号送信手段２０ｃと、が少なくとも生じる。【００２４】  次に、図３を用いて、本第一の実施例における上記手段による動作を時間の流れに従って説明する。
図３では、上部から下部に至るに従い、時間が経過するように記載している。また、点線で中央コンピュータ１、携帯電話２を示している。そして、それぞれ点線の中に、それぞれの手段を示している。【００２５】  携帯電話２の所有者であるユーザＵは、携帯電話２の図示しないボタンを押す。これを受けて、携帯電話２は、中央コンピュータ１へアクセスする。このアクセスを行うのがアクセス手段２０ａである。【００２６】  次に、中央コンピュータ１は、アクセス手段２０ａからの電気信号を受信し、変換機を用いて当該電気信号を判別し、分析及び認識可能な入力信号に変換する変換手段が作動する。具体的には、携帯電話２からの信号を音声信号であると判断して音声信号に適した変換をして入力信号とする手段である。また、携帯電話２がＦＡＸであった場合には、ＦＡＸの信号である電気信号を変換し、そこに含まれる文字情報をＯＣＲ機能等を用いて取り出して入力信号とする手段である。さらに、ＩＰ電話であった場合には、ＶＯＩＰ技術等を用いて音声信号を取り出して入力信号とする手段である。さらに、インターネット等を介した電気信号である場合には、ＴＣＰ／ＩＰプロトコル等を用いて、文字情報等を取り出して入力信号とする手段である。【００２７】  次に、接続認識手段１０ｂが作動する。接続認識手段１０ｂは、入力信号を分析して入力情報として話題用語抽出手段１０ｃに作動信号を送信する手段である。【００２８】  話題用語抽出手段１０ｃは、補助記憶装置１４に記憶されている話題データベース中の話題用語を複数抽出する手段である。具体的には、最も頻繁に利用されている話題の話題用語や、予め決められていた話題の話題用語や、最新の情報に対応している話題の話題用語などを所定値のみ取り出す手段である。【００２９】  次に、話題用語適合送信手段１０ｄが作動する。話題用語適合送信手段１０ｄは、抽出した話題用語を一時的にキャッシュメモリ１２に記憶すると共に、抽出した話題用語を携帯電話２へ話題の候補として提供するために送信する手段である。そして、提供するために、テンプレートに適合させたり、テンプレートに適合させたデータを所定の音声に変換したりすることが行われる。まず、テンプレート「〜と、〜と、〜と、・・・の話が面白いですよ。」に、抽出した話題用語「野球」、「アイドル」を当てはめることが行われる。そして、コンピュータ１に固有の音声の信号にこれを変換する。これにより、携帯電話２でこの音声を受信して聞いたユーザは、あたかも中央センタ１と対話をしているような気持ちに至ることが可能になる。尚、この話題用語適合送信手段１０ｃを更に細分化するようにしても良い。また、説明しないが、携帯電話２へ話題の候補を送信するために変換手段１０ａを介して携帯電話２に適した電気信号に変換し、一方受信したときには逆に変換するが、以下では説明を省略する。【００３０】  その結果、話題用語は、受信手段２０ｂにより受信される。そして、出力される。それに対する回答をユーザＵは入力する。これを中央センタ１と繋がっている携帯電話２は、中央センタ１への入力信号として、中央センタ１へ送信する。これを行うのが、入力信号送信手段２０ｃである。【００３１】  次に、中央���ンタ１の入力信号受信手段１０ｅは、この入力信号を受信する。そして、分析単語抽出手段１０ｅに作動信号を送信する。【００３２】  次に、分析単語抽出手段１０ｆが作動する。分析単語抽出手段１０ｆは、携帯電話２からの入力信号を波形等にして分析して入力情報とし、さらに解析して入力情報中の単語を抽出する手段である。【００３３】  次に、単語照合手段１０ｇが作動する。単語照合手段１０ｇは、抽出した単語をキャッシュメモリに記憶されている話題用語と照合して合致した話題用語から少なくとも一の話題を特定する、又はキャッシュメモリ１１に記憶されている話題用語と抽出した単語を照合したがない場合にはメモリに有する話題データベースの話題用語とその単語を照合して少なくとも一の話題を特定する手段である。具体的には、「野球」と「アイドル」という話題用語がキャッシュメモリ１１に記録されているにもかかわらず、「サッカー」という用語が抽出された場合が該当する。尚、単語抽出手段１０ｆは、キャッシュメモリ１１の話題用語を参照せずに、直接話題データベースの話題用語と抽出した単語を照合することも可能である。【００３３】  次に、情報源特定手段１０ｈが作動する。情報源特定手段１０ｈは、メモリに有する情報データベースにまとめられている情報源の一覧から、話題に対応する一の情報源を特定する手段である。具体的には、情報データベースでは、「アイドル」という話題用語に対して、「ｈｔｔｐ：／／ｗｗｗ．アイドル．ｏｒ．ｊｐ」というようなアドレスが対応付けられていたり、またはこのようなアドレスに対応する番号等が付されていたりして、一の情報源を特定することが可能である。【００３４】  次に、情報取出手段１０ｉが作動する。情報取出手段１０ｉは、図３では図示しないが情報の絞込をかけたり、絞込をかけたがない場合には上位概念の情報に再度絞込をかけたりして、一の又は複数の情報を、特定した一の情報源に含まれる情報を記録するメモリの収集情報データベースから、取り出す手段である。そして、この情報の取り出しの過程で絞込をかける場合には、「この情報に含まれる情報には、何々がありますがどの情報が欲しいですか？」、「このグループにはそのような情報がありませんが、より広いグループには何々の情報がありますよ。」等の質問をユーザＵに質問したり、「何々でよいですね。」等の相槌を打ったり、「何を教えて下さい。」等の促したりすることをして、すなわちユーザに情報を特定する情報の絞込みのナビゲーションやアドバイジングをすることが可能である。また、このナビゲーションやアドバイジングをするためのあらすじを予め作製しておいても良い。【００３５】  尚、話題データベースの各々の話題用語に関連する収集情報データベース中の情報は、相互に関連付けられていると共に、互いに従属するグループの一つのグループに分けられていることが望ましい。これにより、中央センタは、情報をグループの内で上位のグループから下位のグループへ絞り込みを行い、絞り込んだグループから情報を取り出すことや、下位のグループに特定の情報が含まれていない場合に、下位のグループから上位のグループへ絞り込みの範囲を広げることも可能になる。【００３６】  また、中央セ���タ１は、情報源に定期的に且つ自動的にアクセスして、情報源に含まれる情報を獲得し、メモリの収集情報データベースの情報を更新するようになっている。これにより、中央センタ１は、ユーザＵに最新の情報を提供することが可能になる。【００３７】  次に、テンプレート取出手段１０ｊが作動する。テンプレート取出手段１０ｊは、メモリに有する対話データベースから、入力情報に対する応答テンプレートを取り出す手段である。具体的には、「〜を教えてください。」という入力情報に対しては、「〜は、・・・です。」というようなテンプレートの組合せを記録してあり、このテンプレートを応答テンプレートとして取り出すことが行われる。【００３８】  次に、応答情報作成手段１０ｋが作動する。応答情報作成手段１０ｋは、応答テンプレートに取り出した情報を適合させて応答情報を作成する手段である。尚、応答テンプレートは一般的なテンプレートであるので、文書作成データベースを用いて助詞等を調節して滑らかな文章になるように変換を行うことも行う。【００３９】  次に、音声情報作成手段１０ｌが作動する。音声情報作成手段１０ｌは、先に特定した情報源に対応する一の音声情報をメモリに有する音声データベースから抽出する手段である。具体的には、「アイドル」の「Ａさん」に関する情報源であった場合には、「Ａさん」の音声情報を音声データベースから抽出することが行われる。尚、対応する音声情報が無い場合には、中央センタ１の音声情報を音声として用いることが可能である。【００４０】  次に、出力信号作成手段１０ｍが作動する。出力信号作成手段１０ｍは、音声情報を応答情報に適合して出力信号とする手段である。これにより、ユーザＵは情報源に適した音声により会話をすることが可能で、ひいてはあたかも情報源に適した人と対話しているような気になれる。すなわち、これにより、仮想現実でのバーチャル会話が可能になる。【００４１】  次に、送信手段１０ｎが作動する。送信手段１０ｎは、出力信号を、ユーザコンピュータである携帯電話２へ出力送信する手段である。尚、この送信は、携帯電話２の受信信号に適した信号に変換して送信されることが望ましい。【００４２】  出力信号は、携帯電話２の受信手段２０ｂにより受信され、ユーザＵに対して出力される。これにより、ユーザＵは、所望の情報を的確に且つ簡単に取得することが出来るようになる。【００４３】  これらを繰り返し行うことにより、ユーザＵは中央センタ１と対話を続けることができる。【００４４】  また、中央センタ１を例えば「芸能プロダクション」や「旅行代理店」等のサービスを提供する場所に設置することにより、サービスの情報を効率よく且つ興味深くユーザＵは聞くことが可能になる。【００４５】  一方、中央センタ１のメモリには、種々の情報を記録しているが、ない場合がある。その場合には、図示しない対応センタにアクセスしてそのメモリからさらに情報を取得することが出来る。具体的には、対応センタに求める情報のキーワードや上位概念の語を送ることから始まる。そして、この上位概念に含まれる情報やこの上位概念に関連する情報を対応センタの検索部は、少なくとも問い合わせに答える一の情報を取り出すことが行われる。但し���この検索部の詳細は、上記した中央センタ１と同様の手段に分割される。尚、対応センタに特定の人間を配しておいて、又は特定の人間とアクセス可能に予め設定しておいて、その人間に問い合わせに答える一の情報を入力してもらい、その情報を対応センタが取り出した情報として中央センタ１に送信するようにすることを本発明は排除しない。【００４６】  さらに、対応センタのメモリには、種々の情報を記録しているが、ない場合がある。その場合には、図示しない登録センタにアクセスしてそのメモリからさらに情報を取得することが出来る。具体的には、登録センタに求める情報のキーワードや上位概念の語を送ることから始まる。そして、この上位概念に含まれる情報やこの上位概念に関連する情報を対応センタの検索部は、少なくとも問い合わせに答える一の情報を取り出すことが行われる。但し、この検索部の詳細は、上記した中央センタ１と同様の手段に分割される。尚、登録センタに特定の人間を配しておいて、又は特定の人間とアクセス可能に予め設定しておいて、その人間に問い合わせに答える一の情報を入力してもらい、その情報を対応センタが取り出した情報として対応センタを介して中央センタ１に送信するようにすることを本発明は排除しない。【００４７】  登録センタは、メモリにインターネットを介してアクセス可能な情報を上位概念と下位概念のグループに分けて記録蓄積している。そして、その情報は、登録センタの自動情報収集手段が、自動的に所定のサイトに電気通信回線を介してアクセスして情報を得ることにより更新される。もちろん、その過程で、消去、登録、拡張等の作業が行われる。【００４８】  以上、本発明に係る複種類端末により実行可能なナビゲーション方法及び、そのシステムの一実施形態を示した。しかし、本発明は、これ以外の実施形態を排除するものではない。また、上記実施形態の一部を除いた他の実施形態を排除するものではない。
【図面の簡単な説明】
【００４９】
【図１】本発明に係る複種類端末により実行可能なナビゲーション方法を実現する複種類端末により実行可能なナビゲーションシステムの一実施形態における全体の構成例を示した模式図である。
【図２】図１の全体の構成例のブロック図である。
【図３】本発明に係る複種類端末により実行可能なナビゲーション方法及び、そのシステムの一実施形態における作動する手段を時間に従い並べた流れ図である。
【符号の説明】
【００５０】１  中央センタ
２  携帯電話
Ｎ１、Ｎ２  ネットワーク
Ｌ１ａ、Ｌ１ｂ、Ｌ１ｃ、Ｌ１ｄ、Ｌ２ａ、Ｌ２ｂ  回線
１００、２００、３００  サイト
Ｕ  ユーザ
【図１】
2005242947.tif 000003
【図２】
2005242947.tif 000004
【図３】
2005242947.tif 000005